Podtech/llm-jp-corpus-v4-ja_patent huggingface dataset:
(57)【要約】      （修正有）【課題】塩水に限らず水分さえあれば当面の間自己発電し蓄電池に蓄えて負荷装置を使用する小電力用発電方法を提供する。【解決手段】小電力用発電方法は、容器１に陽電極２とマグネシウムまたはアルミニウム陰電極３を並行に設け、空間に二酸化塩素４と石灰粉５を媒体として充填し、水分８を注入して電気を発生させて、コイル昇圧回路６により昇圧したのち所要の直流電圧とする安定化電源回路７を介し変圧してＬＥＤ灯や携帯電話・タブレットの充電点灯をする。陽極２は金属の酸化還元電位の還元傾向の金属を用い、陰極は金属の酸化還元電位の酸化傾向の金属を用いる。陰電極３の摩耗を遅延と電力容量を増大するためと、安定した電子授受を行うにあたり二酸化塩素紛４と石灰粉５を媒体として用いる。金属の持つ酸化還元電位により発電部で発生した直流０．９Ｖから１．６Ｖを基に、目的定格電圧のＤＣ３．０Ｖから６．０Ｖに昇圧して安定化する。【選択図】図１
2020156308.tif 000002
【特許請求の範囲】
【請求項１】
容器▲１▼に陽電極▲２▼とマグネシウムまたはアルミニウム陰電極▲３▼を並行に固定し、媒体に二酸化塩素粉▲４▼と消石灰紛▲５▼を充填した電位差発電装置に水分▲６▼を注ぎ電気を発生させ、コイル昇圧回路▲７▼により昇圧したのち所要の直流電圧とする安定化電源回路▲８▼を介し変圧して出力端子▲９▼より  ＬＥＤ灯や携帯電話・タブレットの充電点灯をする、小電力用発電方法
【発明の詳細な説明】
【技術分解】
【０００１】本発明は、スマートホン及びＬＥＤ懐中電灯やＬＥＤ照明灯などの小電力機器の電源に関するものである。
【背景技術】
【０００２】交流電源から変圧器を以て減圧し  正弦波もしくは半波整流回路を介してコンバートし、照明器具の点灯や充電式リチウム電池を充電する装置や  乾電池や蓄電池、ＰＣから得る電気により  照明を点灯、また携帯電話や髭剃り、歯ブラシ、充電型蓄電池やカメラ等の充電装置がある。
近年では太陽光発電セルにより発生する電気を、変圧器を以て増減圧し整流回路を介し充電する装置がある。また災害時の暗闇回避で、塩水注入をすることで８０時間余り  弱く点灯する非常用ランタンがある。
【発明の開示】
【発明が解決しようとする課題】
【０００３】背景技術にあるように現存する充電装置の殆どは、充電された蓄電池を内装して  その蓄電池内の電気を負荷装置に電力移動するものである。
太陽光セルを用いた発電機能付き充電器においては、エネルギー源である直射太陽光線が必要で、電車内や建屋内ではＮＰＮ型もＰＮＰ型も電子授受が生じず  発電が為されない。
非常用ランタンにおいては  暗闇を無くすべく周囲をボンヤリした明るさで照らす程度であり  先を照らす懐中電灯や作業灯とは成らない。また携帯電話器の充電には全く電力不足である。
そして８０時間で電極交換をする必要がある。
近年増えてきている台風や地震などの天災時には長時間停電が生じていて  夜間照明も無い状態となっている。暗夜においては河川の水位はどうなっているのか、逃げるための道はどうなっているのか。避難すら出来ない状況下となる。役所等の備品発電機や自衛隊ら救援部隊の用意する内燃機関式発電機が届いてから照明や電気を用いる状態である。
だが  これらの救援資材機器は殆ど個人への利用は認められない。
また近年では小学生に至るまでスマホ携帯電話が普及している時代であり、スマホ携帯電話の電力があれば親、親戚、友人らとの情報交換が出来るので互いに安堵できる。子供たちにおいてはスマホのゲームなどで気を紛らわすことが出来る。
本発明の小電力用発電方法では  塩水に限らず水分さえあれば当面の間  自己発電し蓄電池に蓄えて負荷装置を使用することが出来る。
【課題を解決するための手段】
【０００４】本発明は、陽電極▲２▼と陰電極▲３▼ならび二酸化塩素粉▲４▼と消石灰粉▲５▼の媒体からなる水発電装置に水分▲８▼を注ぐことで発電する水発電装置の電力を、一次コイルと二次コイルを巻いたコイル昇圧回路▲６▼で昇圧し、負荷定格電圧を基準とする安定化電源回路▲７▼を介して発電する方法である。
陽電極▲１▼においては金属の酸化還元位の還元傾向の金属を用い、陰電極▲２▼においては金属の酸化還元電位の酸化傾向の金属を用いる。
陰電極の摩耗の遅延および安定した電子授受を行い  電力容量を増大するに、媒体として二酸化塩素粉▲４▼と石灰粉▲５▼を仲介に用いる。
本装置設計の基本は金属の持つ酸化還元電位であり、発生した直流１．０Ｖから１．６Ｖを基に、目的のＤＣ３．０Ｖから５．０Ｖに昇圧して  安定化する。
【発明の効果】
【０００５】本発明は、負荷によるが  例えば単三乾電池を３本直列に用いる４．５ＶのＬＥＤ懐中電灯の場合水の補充で最長１ケ月程度の点灯をする。乾電池の買い置きが要らず  また乾電池ごみの発生低減になり  環境保全への貢献にもなる。
また  ４Ｗ程度のＬＥＤ灯においても水を媒体に強く点灯する。
昨今  行政や組合等では消費電力を二割ほどに抑えて電気料金低減での経費削減および害虫の集光の低減を目的に街路灯をＬＥＤ化している。
本発明を用いれば電気工事不要の建柱工事のみで街路灯を設けられるので、車のヘッドライト頼りの山岳道路や痴漢や泥棒などの事件が発生しやすい民家の少ない地域にも安価で設けられる事が可能となる。
現在では仕事使用のみならず  所在検索にも使えるので小学生も持つ必需品であるスマホ携帯電話やタブレットでは、見やすくするために器具はどんどん大型化が進められている  反面電池消費が大きくなってきている。例えば北海道地震の被災地ではスマホ携帯電話の充電に行列となったので、公共の発電機からスマホ携帯電話の充電を提供して被災者を助けた、本発明装置では  水さえあれば充電でき、陰電極が耐える限り発電をする。
例えば山岳で居所不明になった場合でも  水分さえあれば充電できて電池が切れる事は無いので、電波さえ届けば連絡が取れ  安心である。
本発明は蓄電池では無く、また回転式発電機や太陽光エネルギーを用いずに  水分を用いて電気を発生させる小電力用発電方法である。
【実施例】請求項１においての実施例を記述する。
容器▲１▼に陽電極▲２▼とマグネシウムまたはアルミニウム陰電極▲３▼を並行に固定し、媒体に二酸化塩素粉▲４▼と消石灰紛▲５▼を充填した電位差発電装置に水分▲８▼を注ぎ電気を発生する水発電装置。
上記水発電装置より発生する電気を  負荷定格電圧以上に昇圧するコイル昇圧回路▲６▼と負荷定格電圧付近に降圧する安定化電源回路▲７▼を介して変圧して、出力端子▲９▼より定格電圧出力をする。
出力先に  ＬＥＤ灯や携帯電話・タブレットの充電点灯をする小電力用発電方法
【図面の簡単な説明】
【０００７】
【図１】本発明の請求項１による小電力用発電方法のフロー図
【図２】本発明の請求項１による小電力用発電方法の水発電装置の斜視展開図
【符号の説明】
【０００８】１．容器
２．陽電極
３．陰電極
４．二酸化塩素粉
５．消石灰粉
６．コイル昇圧回路
７．安定化電源回路
８．水分
９．出力端子
【図１】
2020156308.tif 000003
【図２】
2020156308.tif 000004
(57)【要約】      （修正有）【課題】稲苗を正しくかきとり、代掻き後の田に正しく植え付ける、きちんとした整列植え付けを可能にするシート付稲苗マットを提供する。【解決手段】後端部の腐植するシート付苗マットの湛水苗代で、水による腐食を防ぐため、田植え機の移植爪で破砕出来る耐水物資である蝋等を、後端部シートの水浸する部分に表裏塗布・浸漬し，対応する苗マットの前端部底面に塊状等のルートマット１３を形成した、端部耐水腐植するシート付稲苗マット。【選択図】図４
2020156467.tif 000002
【特許請求の範囲】
【請求項１】
後端部の腐植するシート付苗マットの湛水苗代で、水による腐食を防ぐため、田植え機の移植爪で破砕出来る耐水物資である蝋等を、後端部シートの水浸する部分に表裏塗布・浸漬し，対応する苗マットの前端部底面に塊状等のルートマットを形成した、端部耐水腐植するシート付稲苗マット。
【発明の詳細な説明】
【技術分野】
【０００１】    苗代培土代替軽量稲苗マット相互の田植機上における、確実な接続方法に関する。
【発明の概要】
【０００２】  この発明は、在来より長い育苗箱に、籾殻苗マット・ロックウールシート・尿素樹脂シート・木材パルプ成形等の苗代培土代替軽量苗マットを敷き、覆土は省き。毛羽だった綿不織布・落綿シート等腐植するシートを替わりに苗代培土代替軽量苗マット表面に敷いて，播種した種籾の棘毛・禾を、その毛羽に絡ませて固定する、特許第３４８６５２号による方法を用いる。
育苗箱の後端部から腐植するシートを数十ｃｍ延ばし、種籾を播種せずに、図１に示す後端部シート付苗マットとする。
この苗代培土代替軽量苗マットの後端部分・後端部シート付苗マットの苗箱のシート対応部分の育苗箱底には、小穴・，凹部が設けられ、筆状・塊状ルートマット（根群）が図３のように形成される。
毛羽だった後端部シートと捧状、筆状・塊状のルートマット（根群）を重ねると相互に絡みあい、いわゆるマジック効果で軽く接着する。
この、大型化・連続化・重量増加（必要あれば加水・水浸）により変形・移動を防げる。
然しながら、後端部シート付苗マットは、湛水苗代で育成するので、苗生育時に水浸するため水を吸収する苗マットとシートとの接続部が特に腐植しやすい。
耐水性のシートは、田植え機の移植爪で欠き取り難く、土中にも永く残存する。
これを防ぐには、田植え機の移植爪で破砕出来る耐水物資である蝋・パラフィンまたは漆等を、腐植するシートの水浸する部分に、表裏塗布又は浸漬すれば良い。
他方法として、種籾の発芽後、育苗箱の後端部の苗代培土代替軽量苗マット底面に耐水処理したシートを十数ｃｍ端部から延ばして装着してもよい。
湛水苗代で、捧状、筆状・塊状のルートマット形成を簡単に行うには、２枚のポリエチレンフィルム間に多数の空気入り小球を設けた、プチプチと呼ばれる緩衝シートを、根切シートとして図２のように育苗箱底に敷けばよい。
【発明が解決しようする課題】
【０００３】  以下、苗代培土代替軽量苗マットの代表例として、実施例のある籾殻苗マットを取り上げる。
籾殻苗マットを乗用田植機の植え付け面（苗のせ台）に展開した場合、摺動する苗かきとり面への苗の粘着は、籾殻苗マットには、起こらないが、先に下部に解舒し田植機の植え付け面に展開した籾殻苗マットの後端部と、追加した籾殻苗マット前端部との接合（接ぎ苗）は、不良となり欠株が生じる。
【課題を解決するための手段】
【０００４】  欠株が生じる原因は、苗代培土代替軽量の籾殻苗マットの軽量と柔軟性にある。
苗代培土は、保水性のある造粒した土で作られ、一般的には、造粒床土・育苗培土・苗代培土と呼ばれる。これに水をかけると、土粒が相互に結着して板状となり剛性を現す。
水を含んだ苗代培土苗マットは、籾殻苗マットより数倍重く、板状の剛性を持ち殻苗マットの上記の欠株を持たない。
後から籾殻苗マットを、田植機に追加補充した場合、下の籾殻苗マットは、移植爪で順
2020156467.tif 000003
移動・変形しやすい。
本発明は、下の籾殻苗マットの数センチ長さの残部の変動・変形と変形部とり過大に  よる不整形化を防ぎ、稲苗を正しくかきとり、代掻き後の田に正しく植え付ける、きち  んとした整列植え付けを可能にする。
図をもって説明すれば、図１の１はロング育苗箱で、在来の育苗箱２枚の短辺のひとつを除いて合せ、合せ部分上面縁に断面がコの字型の金具４を被せ、ブラインドリベット又はセルフタッピン螺子・リベットで図１のように止める。
出来あがったロング育苗箱１の長辺は在来の育苗箱２枚分１２０ｃｍ弱となる。
籾殻苗マット等の苗代培土代替軽量苗マットをロング育苗箱１に敷き特許第３４８６５２号により、毛羽だった綿不織布等腐植する資材をこれらの表面に敷いて，播種した種籾３の棘毛・禾が、腐植する資材の毛羽に絡み固定さる機能を応用する。
籾殻苗マットの端は、ほつれやすいので、腐植するシート小片を底面に敷き図３の様に折って、籾殻苗マット２の前・後端部を包み、整形補強する。
腐植するシート前端対応部分以外の種籾３の根は、籾殻苗マット２を貫通して、ロング育苗箱底部に敷いたポリエチレンフィルム等の根切りシートに遮られ絨緞状のルートマットになる。
【発明の効果】
【０００５】    このように、籾殻苗マット搭載田植機の下位搭載の籾殻苗マットの数センチ長さのかきとり残部の変動・変形と、変形部かきとり過大による不整形化を防ぎ、稲苗
を正しくかきとり、代掻き後の田に正しく植え付ける、整列植え付けを可能にする。
【図面の簡単な説明】
【０００６】
【図１】図１はロング育苗箱で稲育苗中の斜視図
【図２】図２は図１のＡ−Ｂ線の断面図
【図３】図３は接合時のシート対応部分断面図
【図４】図４は図１の接合時の長辺方向断面図（１ロング育苗箱、７架台は取り除いてある）
【発明を実施するための形態】
【０００７】    育苗箱の後端部から、浸水部部分に破砕する耐水処理をした、毛羽だった腐植するシ  ートを数十ｃｍ延ばし、種籾を播種せずに、図１に示す後端部シート付苗マットとする  。
後端部シート付苗マットの苗箱の前端部育苗箱底には、多数の空気入り小球を設けた  緩衝シートを根切シートとして多数の，凹部が設けられ、塊状等のルートマット（根群  ）が形成される。
毛羽だった後端部シートと塊状等のルートマット（根群）を重ねると相互に絡みあい  、いわゆるマジック効果で軽く接着する。
苗マット相互の一体化の大型化・重量増により変形・移動を防げる。
【符号の説明】
【０００８】  １はロング育苗箱
２は籾殻苗マット
３は催芽籾
４は止め金具
５は毛羽だった後端部腐植するシート
６は毛羽だった腐植するシート
７は毛羽だった後端部腐植するシート架台
８は前端部育苗箱底の逆３角形小穴
９は前端部育苗箱底の窪み
１０は隗状籾の根群
１１は筆状籾の根群
１２は毛羽だった後端部シートの重石
１３はルートマット
【図１】
2020156467.tif 000004
【図２】
2020156467.tif 000005
【図３】
2020156467.tif 000006
【図４】
2020156467.tif 000007
(57)【要約】【課題】本発明は、優れた近赤外線防御効果を発揮する近赤外線防御剤を提供することを課題とする。【解決手段】本発明は、ポリアクリル酸アルキルを有効成分とする、近赤外線防御剤を提供する。【選択図】          図１
2020172466.tif 000002
【特許請求の範囲】
【請求項１】
ポリアクリル酸アルキルを有効成分とする、近赤外線防御剤。
【発明の詳細な説明】
【技術分野】
【０００１】
本発明は、優れた近赤外線防御効果を発揮する近赤外線防御剤に関する。
【背景技術】
【０００２】
従来より、紫外線（１００ｎｍ〜４００ｎｍ）による皮膚への悪影響を防御するため、様々な紫外線防御化粧料が開発されている（特許文献１）。近年では、近赤外線（８００ｎｍ〜２５００ｎｍ）による皮膚への悪影響にも注目が集まり、近赤外線防御に対するニーズが高まっている。近赤外線防御に有効な成分として、酸化チタンや酸化亜鉛などが知られており、これらを配合する化粧料などが開発されている（特許文献２）が、近赤外線防御効果を高めるためには酸化チタンや酸化亜鉛などを高配合する必要があり、皮膚に塗布した際に白くなり、きしみやべたつきといった使用感上の課題があった。
【先行技術文献】
【特許文献】
【０００３】
【特許文献１】特開２０１８−１７７６８９号公報
【特許文献２】特開２０１７−９５３６１号公報
【発明の概要】
【発明が解決しようとする課題】
【０００４】
本発明は、優れた近赤外線防御効果を発揮する近赤外線防御剤を提供することを課題とする。
【課題を解決するための手段】
【０００５】
本発明は、ポリアクリル酸アルキルを有効成分とする、近赤外線防御剤を提供する。
【発明の効果】
【０００６】
本発明の近赤外線防御剤は優れた近赤外線防御効果を発揮する。
【図面の簡単な説明】
【０００７】
【図１】図１は、ポリアクリル酸アルキルの近赤外線透過率が低いことを示す図である。
【発明を実施するための形態】
【０００８】
以下本発明を実施するための形態を説明する。
【０００９】
本発明で使用するポリアクリル酸アルキルは、メチル（メタ）アクリレート、エチル（メタ）アクリレート、ｎ−ブチル（メタ）アクリレート、２−エチルへキシル（メタ）アクリレートなどの（メタ）アクリル酸エステルの１種類以上を構成モノマーとして含んでいてもよい。また、ポリアクリル酸アルキルは、（メタ）アクリル酸エステル以外の炭素−炭素不飽和結合を有する炭化水素系モノマーを構成モノマーとして含んでいてもよい。具体的な炭素−炭素不飽和結合を有する炭化水素系モノマーとしては、アクリル酸、メタクリル酸、スチレン、メチルスチレン、ビニルトルエン、酢酸ビニル、アクリロニトリル、塩化ビニル、塩化ビニリデン、クロロプレン、イソプレン、ブタジエン、アクロレイル、アクリルアミド、アリルアルコール、ビニルピリジン、安息香酸ビニル、安息香酸アリルなどが挙げられる。なお、ポリアクリル酸アルキルを含むモノマーは、１種類に限られず、２種類以上を構成モノマーとして含んでいてもよい。
【００１０】
ポリアクリル酸アルキルは、架橋構造を有するものと、架橋構造を有さないものがあるが、架橋構造を有するものが好ましい。架橋構造はポリアクリル酸アルキル系の重合体に用いられる公知の方法を適宜利用することで調整できる。なお、架橋剤としては、例えば、ジビニルベンゼン、ジメタクリル酸エチレン、ジメタクリル酸トリエチレングリコール、ジメタクリル酸エチレングリコール、ジメタクリル酸1,3−ブチレン、メタクリル酸アリル、トリメタクリル酸トリメチロールプロパンなどが挙げられる。
【００１１】
ポリアクリル酸アルキルとしては、架橋型のポリメタクリル酸メチル（メタクリル酸メチルクロスポリマーともいう）が特に好ましい。なお、メタクリル酸メチルクロスポリマーの粉体は市販されているものがあり、例えば、マツモトマイクロスフェアー（登録商標）ＭＨＢ−Ｒ，マツモトマイクロスフェアー（登録商標）Ｍ−３０５，マイクロスフェアー（登録商標）Ｍ−３０６，マツモトマイクロスフェアー（登録商標）Ｍ−５０３Ｂ（いずれも松本油脂製薬株式会社製）、ガンツパールＧＭＰ−０８００，ガンツパールＧＭＸ−０６１０，ガンツパールＧＭＸ０８１０（いずれもアイカ工業株式会社製）、テクポリマーＭＢX−８Ｃ（積水化成品工業株式会社製）などが挙げられる。
【００１２】
ポリアクリル酸アルキルの粒子径としては、顕微鏡観察による平均一次粒子径が、１μｍ〜５０μｍであることが好ましく、５μｍ〜３０μｍであることがより好ましい。
【００１３】
ポリアクリル酸アルキルの形状としては、特に限定されず、例えば、球状、板状、針状、紡錘状、半球状、おわん状などが挙げられる。球状が好ましい。
【実施例】
【００１４】
以下、実施例により本発明を具体的に説明するが、これにより本発明の範囲が限定されるものではない。
【００１５】
［近赤外線透過率測定］
近赤外線防御剤０．３ｍｇ/ｃｍ2を石英すりガラス基板（４ｃｍ×５ｃｍ）に指サックを用いて均一に塗布させ、測定用の試料とした。測定用試料及び無塗布の石英すりガラスそれぞれについて分光光度計（株式会社島津製作所製ＵＶ−３１５０、積分球モード）にて８００〜２５００ｎｍの透過率を測定した。測定の際には、積分球の開口部に石英すりガラス基板の塗工面が入射光側になるように固定した。測定用試料の透過率を無塗布の場合の透過率で除した値を透過率とした。
【００１６】
［実施例１］
実施例１として、メタクリル酸メチルクロスポリマーのマツモトマイクロスフェアー（登録商標）Ｍ-３０６（粒子径５〜１５μｍ、表面平滑球状）を用いた。
【００１７】
［実施例２］
実施例２として、メタクリル酸メチルクロスポリマーのマツモトマイクロスフェアー（登録商標）ＭＨＢ-Ｒ（粒子径５〜２５μｍ、中空多孔質球状）を用いた。
【００１８】
［比較例１］
比較例１として、低吸油性の真球状多孔質シリカ（粒子径３〜５μｍ）を用いた。
【００１９】
［比較例２］
比較例２として、真球状多孔質中空シリカ（粒子径２〜３μｍ）を用いた。
【００２０】
図１に示す通り、比較例１及び比較例２と比較して、実施例１及び実施例２は近赤外線の透過率が減少している。したがって、実施例１及び実施例２が高い近赤外線防御効果を発揮することが分かる。
【図１】
2020172466.tif 000003
(57)【要約】【課題】生姜を長く保存するための容器を提供する。【解決手段】生姜を長期保存するための容器において、合成樹脂またはガラスで形成された容器(１)の上部に取り外し可能な合成樹脂またはシリコン樹脂で形成された内蓋(２)を備え、前記内蓋（２）に少なくとも液体が通過できる程度の孔（３）を設け、前記容器（１）に入れた液体が外部に漏れないようにするための外蓋(４)を備えたことを特徴とする生姜用保存容器。【選択図】図１
2020172296.tif 000002
【特許請求の範囲】
【請求項１】
合成樹脂またはガラスで形成された容器(１)の上部に取り外し可能な合成樹脂またはシリコン樹脂で形成された内蓋(２)を備え、前記内蓋（２）に少なくとも液体が通過できる程度の孔（３）を設け、前記容器（１）に入れた液体が外部に漏れないようにするための外蓋(４)を備えたことを特徴とする生姜用保存容器。
【発明の詳細な説明】
【技術分野】
【０００１】
本発明は、生姜を長く保存するための容器に関するものである。
【背景技術】
【０００２】
従来、野菜や果実を常温保存する貯蔵庫があった。（特許文献１参照）。
従来、香味野菜を補完する袋があった。（特許文献２参照）。
【先行技術文献】
【特許文献】
【０００３】
【特許文献１】実用新案登録第３１９８６１０号公報
【特許文献２】特開２００３−１２８０９２号公報
【発明の概要】
【発明が解決しようとする課題】
【０００４】
そのため、次のような問題点があった。
（イ）常温保存のため、生姜が劣化するのが早くなる。
（ロ）水分保持が出来ないため、生姜が干からびてしまう。
（ハ）ただの蓋つきの容器に入れてしまうと、水の入れ替えが容易でない。
（二）水の入れ替えの際に生姜を触る回数が多いと、雑菌が繁殖しやすい。
本発明は、これらの問題点を解決するためになされたものである。
【課題を解決するための手段】
【０００５】
合成樹脂またはガラスで形成された円筒形の容器の上部に合成樹脂またはシリコン樹脂で形成された内蓋を設ける。
内蓋に少なくとも液体が通過できる程度の孔を設ける。
容器に入れた水が外部に漏れないようにするための外蓋を設ける。
以上を特徴とする生姜用保存容器である。
【発明の効果】
【０００６】
（イ）水につけて冷蔵庫保存が出来るため、生姜の鮮度を長く保つことができる。
（ロ）水につけるため、生姜が干からびない。
（ハ）内蓋の孔から水の入れ替えが容易にできる。
（二）生姜を触らなくても水の入れ替えができるため、衛生的。
【図面の簡単な説明】
【０００７】
【図１】本発明の上部開口状態の正面図である。
【図２】本発明の上部閉口状態の正面図である。
【図３】本発明の使用状態を示した正面図である。
【図４】本発明の外蓋の内側の斜視図である。
【発明を実施するための形態】
【０００８】
以下、本発明の実態の形態について説明する。
（イ）合成樹脂またはガラスで形成された容器本体(１)の上部に、取り外し可能な合成樹脂またはシリコン樹脂で形成された内蓋(２)を設置する。
（ロ）前記内蓋（２）に少なくとも液体が通過できる程度の孔（３）を設ける。
（ハ）前記容器（１）に入れた液体が外部に漏れないようにするための外蓋(４)を備える。
本発明は以上のような構成である。
本発明を使用する時は、内蓋を開けて生姜と水を入れ、内蓋をつけた後に外蓋を閉めて冷蔵庫などの冷えた場所で保管する。
容器の水を入れ替える際は、外蓋だけ外すと生姜を手で押さえなくても内蓋の孔から水が出せる。水がなくなったらその孔からまたは内蓋を外して水を加え、再び外蓋をして保管する。
容器内の水を一日一回取り替えて冷蔵庫保管をすることで、生姜の鮮度を長く保つことができる。
【符号の説明】
【０００９】
１  容器本体
２  内蓋
３  孔
４  外蓋
【図１】
2020172296.tif 000003
【図２】
2020172296.tif 000004
【図３】
2020172296.tif 000005
【図４】
2020172296.tif 000006
(57)【要約】【課題】キヤップをＶ字状部材で押さえ挟み片手だけでボトルキャップを開けられる補助具を提供する。【解決手段】キザミ溝を連続して設けた長さのある二本の部材を基板にＶ字状に一体構造として設け、キザミ溝を介しキャップを挟みキャップの回転を止め押さえボトルを片手で回転させるだけでキャップが緩み開けることができる構造としたことを特徴とするボトルキャップ開けホルダー。【選択図】図３
2020172330.tif 000002
【特許請求の範囲】
【請求項１】
キザミ溝を連続して設けた長さのある二本の部材を基板にＶ字状に一体構造として設け、キザミ溝を介しキャップを挟みキャップの回転を止め押さえボトルを片手で回転させるだけでキャップが緩み開けることができる構造としたことを特徴とするボトルキャップ開けホルダー。
【発明の詳細な説明】
【技術分野】
【０００１】本発明は、片手だけでボトルのキャップを開けることができるキャップ開けに関するものである。
【背景技術】
【０００２】従来、キャップ開け補助具はあった。
【発明の概要】
【発明が解決しようとする課題】
【０００３】そのため、次のような問題点があった。
（イ）従来の補助具の使用は片手でボトルを押さえ又掴み一方の手で補助具を使用していた。片手の不自由な人は難儀していた。
本発明は、これらの問題点を解決するためになされたものである。
【課題を解決するための手段】
【０００４】キザミ溝を連続して設けた長さのある二本の部材を基板にＶ字状に一体構造として設け、キザミ溝を介しキャップを挟みキャップの回転を止め押さえボトルを片手で回転させるだけでキャップが緩み開けることができる構造とした。
以上を特徴とするボトルキャップ開けホルダーである
【発明の効果】
【０００５】ボトルを差し込んだとき傾斜がつくように背面に傾斜を設けた基板を冷蔵庫等に接着テープ等を使い固定。ボトルキャップをＶ字状部材に差し込みボトルを回すだけでキャップが緩み片手だけでキャップを開けられる。Ｖ字状構成により小さいキャップも対応できる。
【図面の簡単な説明】
【０００６】
【図１】本発明の基板とキザミ溝が一体となる正面図
【図２】本発明のキザミ溝と基板が一体となる側面図
【図３】本発明のボトルキャップ開けホルダーにキャップを差し込んだ使用例を示す正面図
【図４】本発明を冷蔵庫に固定しペットボトルを片手だけでキャップ開けできる使用例を示す図
【図５】本発明のキザミ溝部材をネジきり棒をＶ字状部材に使用した例を示す正面図
【図６】ネジきり棒を使用したボトルキャップ開けホルダーの側面図
【発明を実施するための形態】
【０００７】以下、本発明の実施の形態について説明する。
プラスチック材等で一体形成した１〜３図、ネジきり部材で形成した５〜６図はネジきり上部左右を少し曲げ薄い鋼板基板に溶接等で形成できる。
本発明は以上のような構成である。
これを使用するときは、基板を両面テープ等を介し冷蔵庫等に固定する。ボトルキャップをＶ字状に差し込みキャップの回転を止め押さえボトルを左に回転させると堅いキャップが緩む。
Ｖ字状部材により径の小さいキャップも対応できる。
【符号の説明】
【０００８】１キザミ溝
２基板
３矢印（ボトルの回転方向を示す）
４キャップ
５ボトルキャップ開けホルダー
６ペットボトル
【図１】
2020172330.tif 000003
【図２】
2020172330.tif 000004
【図３】
2020172330.tif 000005
【図４】
2020172330.tif 000006
【図５】
2020172330.tif 000007
【図６】
2020172330.tif 000008
【手続補正書】
【提出日】令和1年8月29日(2019.8.29)
【手続補正１】
【補正対象書類名】特許請求の範囲
【補正対象項目名】請求項１
【補正方法】変更
【補正の内容】
【請求項１】
キザミ溝を連続して設けた長さのある二本の部材を基板にＶ字状に一体構造として設け、基板を冷蔵庫等の壁面に両面テープ等を介し固定、キザミ溝を介しキャップを挟みキャップの回転を止め押さえボトルを片手で回転させるだけでキャップが緩み開けることができる構造としたことを特徴とするボトルキャップ開けホルダー。
【手続補正書】
【提出日】令和2年3月9日(2020.3.9)
【手続補正１】
【補正対象書類名】特許請求の範囲
【補正対象項目名】請求項１
【補正方法】変更
【補正の内容】
【請求項１】
キザミ溝を連続して設けた長さのある二本の部材を基板にＶ字状に一体構造として設け、キザミ溝を介しキャップを挟みキャップの回転を止め押さえボトルを片手で回転させるだけでキャップが緩み開けることができるコンパクトな構造としたことを特徴とするボトルキャップ開けホルダー。
(57)【要約】【課題】  ＶＲゴーグル用マスクにデザインをする事により、マスク自体に付加価値を付ける。【解決手段】  本発明は、ＶＲゴーグル等のゲーム用ゴーグルを装着する時に使用するマスクに、デザインや印刷を施したり、香りや化粧薬品等を含ませそのキャラクターや広告販促物にさせたＶＲゴーグル用マスク。【特許請求の範囲】
【請求項１】
従来のゴーグル用マスクとは、ＶＲゴーグルとゴーグルマスクの直接的接触を防ぐだけのマスクだが、文字・数字・絵柄等の印刷・デザインを施し、キャラクターグッズや広告チラシの販促物の付加価値のあるものに変化させたＶＲゴーグル用マスク。
【請求項２】
香料や美容医薬品等を含ませ、ＶＲゴーグルを装着している時に、含ませた香料・美容医薬品の効果を接触部分やリラクゼーションとして身体に与えるＶＲゴーグル用マスク。
【発明の詳細な説明】
【技術分野】
【０００１】  本発明は、ＶＲゴーグル等のゲーム用ゴーグルを装着する時に使用するマスクに、デザインや印刷を施したり、香りや化粧薬品等を含ませそのキャラクター商品や広告ＰＲ販促物のになるマスクです。
【背景技術】
【０００２】  従来、ゴーグル用マスクは白紙でデザイン性も無く使い捨てが主流。そのマスクにキャラクター等をデザインする事により愛嬌や愛着がわき、マスクに付加価値を付けます。また、企業ロゴや広告を入れるとイベント等でも使用後に広告チラシとして持って帰ってもらえます。さらに、香りや化粧薬品等を染み込ませることにより、長時間のゲーム中でも顔の皮膚のアンチエイジングやリラクゼーションも可能になります。デザイン・印刷・加工することにより従来の使用方法とは違った用途を新たに持つ事ができます。
【発明の概要】
【発明が解決しようとする課題】
【０００３】  マスクを使い捨てにしないための物で、消耗品に付加価値を付ける物です。
【課題を解決するための手段】
【０００４】  従来、ゴーグル用マスクは白紙でデザイン性も無く使い捨てが主流。そのマスクにキャラクター等をデザインする事により愛嬌や愛着がわき、マスクに付加価値を付けます。また、企業ロゴや広告を入れるとイベント等でも使用後に広告チラシとして持って帰ってもらえます。さらに、香りや化粧薬品等を染み込ませることにより、長時間のゲーム中でも顔の皮膚のアンチエイジングやリラクゼーションも可能になります。デザイン・印刷・加工することにより従来の使用方法とは違った用途を新たに持つ事ができます。
【発明の効果】
【０００５】  本発明のデザインマスクは、キャラクターをデザインすればそのキャラクターになりきって遊ぶ事もできます。企業や個人広告をデザインすれば、販促物としても使えます。香りや美容液を含ませればゲーム内容に関連し肌の健康や快眠効果等の健康器具にも使えます。このマスクとＶＲゴーグルと組み合わせて幅広く楽しむ事ができます。
【図面の簡単な説明】
【００６】
【図１】キャラクターマスクを示した説明図です。
【図２】企業販促物マスクを示した説明図です。
【図３】型抜きや美容癒し系マスクを示した説明図です。
【発明を実施するための形態】
【０００７】  本願発明のマスクは目の周りに装着するアイマスク的な物で、印刷ができるように紙や繊維・プラスチックや樹脂・ビニールで作られています。寸歩は縦約１５センチ×横約２５センチの長方形（デザインによっては寸法・形は異なります）で、マスクがずれないように耳にかけるヒモがついています。目を出すために１つ又は２つの以上の穴が空いています。マスクにデザイン印刷を施すためにマスク自体の余白は大きめに確保しておいた方が良いでしょう。
【図１】
2020172732.tif 000002
【図２】
2020172732.tif 000003
【図３】
2020172732.tif 000004
(57)【要約】【課題】靴を履いたままでも巻くだけで簡単に着脱でき、腹部や腰部に懐炉を入れることでさらに保温性を高めることができるポケット付きブランケットを提供する。【解決手段】天然繊維または化学繊維で形成されたブランケット（１）において、前記ブランケットの上部に紐やマジックテープなどの留め具または第１のボタン（２）と第１のボタンをかけるためのボタンホール（３）が設置され、前記第１のボタン（２）は、前記ボタンホール（３）に結合できる機能を持ち、懐炉を入れるための矩形状の収納袋（４）、または（５）が縫い付けられていることを特徴とするポケット付きブランケット。【選択図】図１
2020172718.tif 000002
【特許請求の範囲】
【請求項１】
天然繊維、または化学繊維で形成されたブランケット（１）において、前記布繊維の上部に紐やマジックテープなどの留め具または第１のボタン（２）と第１のボタン（２）をかけるためのボタンホール（３）が設置され、前記第１のボタン（２）は、前記ボタンホール（３）に結合できることを特徴とするポケット付きブランケット。
【請求項２】
請求項１のブランケットの上部に懐炉を入れるための矩形状の収納袋（４）または（５）が縫い付けられていることを特徴とするポケット付きブランケット。
【発明の詳細な説明】
【技術分野】
【０００１】
本発明は、靴を履いたままでも巻くだけで簡単に着脱できるポケット付きブランケットに関するものである。
【背景技術】
【０００２】
従来、全身で着るタイプの毛布はあった（特許文献１参照）。
従来、肩からかける、又はベビーカーにつけるなどの多機能タイプのブランケットはあった（特許文献２参照）。
【先行技術文献】
【特許文献】
【０００３】
【特許文献１】実用新案登録第３１９３０５３号公報
【特許文献２】実用新案登録第３１５３８４６号公報
【発明の概要】
【発明が解決しようとする課題】
【０００４】
そのため、次のような問題点があった。
（イ）上からかけるだけの状態のため、足の裏側から冷気が入りやすい状態かつ落ちやすい状態であった。
（ロ）全身で着るタイプの場合は、簡単に着脱ができない。
（ハ）保温性を高めるための懐炉を入れる袋がない。
本発明は、これらの問題点を解決するためになされたものである。
【課題を解決するための手段】
【０００５】
ブランケット上部にマジックテープやボタンなどの留め具を付けることで、各々のウエストサイズに合わせることができ、簡単に着脱できる。
腹部近傍または腰部近傍に収納袋を作成し、懐炉を入れられようにする。  以上を特徴とするポケット付きブランケットである。
【発明の効果】
【０００６】
（イ）下半身全体を包むことができるため、保温性が高い。
（ロ）腰から巻きつけるタイプのため、オフィスなどで靴を履いたままでも簡単に着脱できる。
（ハ）腹部と腰部に懐炉を入れられるため、さらに保温効果を高められる。
（二）ウエストのサイズが調整できるため、様々な体型に対応できる。
（ホ）電気を使って温める手法ではないため、エコに繋がる。
【図面の簡単な説明】
【０００７】
【図１】本発明の正面図である。
【図２】本発明の背面図である。
【図３】本発明の使用状態を示した正面図である。
【発明を実施するための形態】
【０００８】
以下、本発明の実施の形態について説明する。
（イ）腰から巻いて簡単に着脱できるようにするために、布繊維で形成された長方形または楕円形のブランケット（１）の上部に紐やマジックテープなどの留め具、またはボタン（２）と、ボタンホール（３）を設置する。
（ロ）布繊維で形成された長方形または楕円形のブランケット（１）の上部に、懐炉を入れるための腹部用収納袋(４)または腰部用収納袋（５）を設置する。
本発明は以上のような構成である。
本発明を使用するときは、ブランケットを体に巻き、ウエストのサイズに合わせてボタンを留めるだけで使用できる。
さらに、腹部や腰部に設置されている収納袋に懐炉を入れることで、より保温性が高まる。
【符号の説明】
【０００９】
１  ブランケット本体
２  腹部用懐炉収納袋
３  腰部用懐炉収納袋
４  ボタン
５  ボタンホール
【図１】
2020172718.tif 000003
【図２】
2020172718.tif 000004
【図３】
2020172718.tif 000005
(57)【要約】【課題】診察券等に記入欄がいっぱい毎にシールを何度も張り替える事は、手間で有りシール代の経済的負担もある。また、一般的な記入シールはたくさん記入出来るように記入欄が小さく見づらかった。従って、カードに直接記入で書き換え可能な機能で前述の欠点を解決しようとするものである。【解決手段】カード素材を合成紙とロイコ染料、顕色剤、変色温度調整剤で出来たインクの筆記性機能を生かし、書き換え可能にする事により問題点を解決している。カード素材に直接ロイコ染料、顕色剤、変色温度調整剤で出来たインクで記入し、消す場合は水分を含んだ布などで擦ると消える機能。【選択図】図１
2020172094.tif 000002
【特許請求の範囲】
【請求項１】
発砲ポリエステル樹脂にて診察券を作成するに辺り、表面とボールペンや油性マジックとの相性が良く、筆記性に優れている。
診察券・予約カードを、発砲ポリエステル樹脂にて作成し、両面印刷保護の観点から、表面に保護加工としてＯＰニスを最終的に加工する。
発砲ポリエステル樹脂（合成紙）とロイコ染料、顕色剤、変色温度調整剤で出来たインクの筆記性機能を生かすため、予約記入欄にはＯＰニス加工をしない（抜く）事により水分を含んだ布、紙等で拭くと何度も消すことが出来る。
【発明の詳細な説明】
【技術分野】
【０００１】  本発明は、カードにて手書きの診察予約情報を書き換え可能とするものである。
【背景技術】
【０００２】  医療系において、診察券等に次回予約を手書きしているが、カードにシールを貼り、シールに記入し記入欄がいっぱいになったら、シールをはがし、またシールを貼りなおし、また記入している。
【発明の概要】
【発明が解決しようとする課題】
【０００３】  診察券等に記入欄がいっぱい毎にシールを何度も張り替える事は、手間で有りシール代の経済的負担もある。また、一般的な記入シールはたくさん記入出来るように記入欄が小さく見づらかった。従って、カードに直接記入で書き換え可能な機能で前述の欠点を解決しようとするものである。
【課題を解決するための手段】
【０００４】  本発明は、カード素材を合成紙とロイコ染料、顕色剤、変色温度調整剤で出来たインクの筆記性機能を生かし、書き換え可能にする事により問題点を解決している。カード素材に直接ロイコ染料、顕色剤、変色温度調整剤で出来たインクで記入し、消す場合は水分を含んだ布などで擦ると消える機能。
【発明の効果】
【０００５】  前述の様に、本発明の書き換え可能なカードにすることは勿論、シールの張替の手間や記入欄の大きさも自由にできる。
【図面の簡単な説明】
【０００６】
【図１】本発明の直接記入に変えた実施例を示す図面である。
【図２】従来からのシールによる実施例を示す図面である。
【発明を実施するための形態】
【０００７】  合成紙（発砲ポリエステル樹脂）に印刷をし、印刷保護の観点からニス加工をおこなう。記入欄はロイコ染料、顕色剤、変色温度調整剤で出来たインクとニスとの相性の問題で、記入欄のみニス加工はおこなわない。最終的にカード形成する。
【実施例】
【０００８】  図１はジョン達明に関わるカードへの実施例を示す。図１のカードにロイコ染料、顕色剤、変色温度調整剤で出来たインクで年月日時間を記入し消すときは、水分を含んだ布や紙で拭くと記入した文字が消える。摩擦熱で消す方法も可能だが、摩擦により合成紙表面が削れ、最終的に消えなくなる場合がある。
【符号の説明】
【０００９】１  本発明により大きくした記入欄
２  従来の小さな記入欄
【産業上の利用可能性】
【００１０】  本発明は、診察券の予約のみならず、学習塾、美容院などその他の業種における次回予約の記述の書換えにも有用と考える。
【図１】
2020172094.tif 000003
【図２】
2020172094.tif 000004
(57)【要約】      （修正有）【課題】屋根に落下する落ち葉が排水溝に集積されることを避けた軒下排水溝の提供。【解決手段】角度と角度間の距離で形成された軒下排水溝部材を設置することで、軒下排水溝部材を通過する雨水は表面張力により軒下排水溝部材の形状に沿って排水溝に誘導され、落ち葉は雨水との比重の差により軒下排水溝部材の形状に沿わず排水溝の外側に落下する。【選択図】図２
2020172839.tif 000002
【特許請求の範囲】
【請求項１】
角度と角度間の距離で形成された軒下排水溝
【発明の詳細な説明】
【技術分野】
【０００１】  本発明は、金属、繊維、樹脂等の素材で製作された角度と角度間の距離で形成された軒下排水溝（以下ＤＯＳＳＵＮとする）であり、ＤＯＳＳＵＮを使って屋根端と排水管を繋ぐ。【０００２】  一般的な降雨の際、雨水は屋根の傾斜により樋に入り、その後排水溝に集められ排水管を介し下水等に流れる。【０００３】  このような従来の樋および排水溝の製造方法では、まず樹脂等を規に成型し、屋根の傾斜端（以下屋根端とする）に排水溝を配置し、樋と排水溝を排水管に接合する。【０００４】  従来の製造方法による樋および排水溝には、排水溝の処理を阻害する落葉の集積が発生し、排水能力が落ちるという問題点がある。【０００５】  この問題を解決するため、多額の費用を負担し樋および排水溝の落ち葉を除去している。
【発明の解決しようとする課題】
【０００６】  本発明は実情に鑑みてなされたものである。従来の樋および排水溝の代わりにＤＯＳＳＵＮを設置し、屋根に落下する落ち葉が排水溝に集積されることを避けることにより、費用と労力を軽減するための製造方法を提供する。
【課題を解決するための手段】
【０００７】  前述した目的を達成するための課題解決手段としてＤＯＳＳＵＮを設置し、固体と液体の特性を利用した分離排水を行う。
【０００８】  屋根から落下する雨水は表面張力によりＤＯＳＳＵＮの形状に沿って排出口に向かう。雨水に流され移動する落ち葉は、落ち葉と雨水の比重の差により落下の軌道が異なるため固体と液体が分離しＤＯＳＳＵＮの排水溝の外に落ちる。
【０００９】  ＤＯＳＳＵＮは金属、樹脂、繊維等を使用し強度剛性を有する材料により成形される。ＤＯＳＳＵＮの製造方法は金属、樹脂、繊維等の加工技術を含むことを特徴とする。
【発明の効果】
【００１０】  本発明による製造方法を用いた軒下排水溝ＤＯＳＳＵＮを使用することで、落ち葉の集積排除にかかる費用と労力の負担軽減の効果をもたらす。
【００１１】  併せて、前項において具体的に明示した結果以外に本発明の特徴的な構成から容易に導き出される特有な効果も本発明の効果に含まれる。
【図面の簡単な説明】
【００１２】
【図１】本発明の一実施形態に係る側面図である。
【図２】雨水と落ち葉の動きのイメージ図である。
【図３】ＤＯＳＳＵＮを３次元図である。
【発明を実施するための形態】
【００１３】  以下、添付図面を参照し本発明によるＤＯＳＳＵＮ及びその製造方法の好ましい実施形態を詳細に説明する。
【００１４】  本発明を説明するに当たって、原則的に関連した公知の機能や公知の構成のように、既に当該技術分野の通常の技術者に自明な事項として本発明の技術的特徴を省略することが出来ると判断される場合には、その詳細な説明を省略する。
【００１５】  ＤＯＳＳＵＮの屋根側の基準点１は屋根端から地面へ向かう垂線の線上にある。以下、屋根側の基準点１より建物側の方向を内側、反対方向を外側と称する。
【００１６】  屋根側の基準点１と屋根の内側部分の端点２を結んだ直線は水平である。
【００１７】  屋根側の基準点１の外側に直角三角形５を作る。角度は２０度、９０度、７０度で、直角の頂点を３、７０度の角度の頂点を４とする。
【００１８】  屋根側の基準点１と頂点３を結んだ直線は水平である。屋根側の基準点１と頂点３の距離はＤＯＳＳＵＮのサイズにより変動する。
【００１９】  屋根側の基準点１と頂点４を結んだ直線を、頂点４を中心に時計回りに１１０度回転させる。これにより出来た面に対して垂直な直線の端点を６とする。
【００２０】  屋根側の基準点１と頂点３、端点６を直線で結んだ直角三角形７の角度はそれぞれ５５度、９０度、３５度である。
【００２１】  頂点４と端点６を結んだ直線と、排水溝の外側の点８の距離は２０ｍｍである。
【００２２】  頂点４と端点６を結んだ直線と、排水溝の内側の点９とＤＯＳＳＵＮの排水溝側の基準点１０を結んだ直線は平行である。よって排水溝の内側の点９と排水溝側の基準点１０を結んだ直線は地面に対し垂直である。
【００２３】  屋根側の基準点１と排水溝側の基準点１０の距離は、ＤＯＳＳＵＮのサイズにより変動する。
【００２４】  排水溝１１のサイズ、角度、位置などにより基準点１０と排水溝の内側の点９を結んだ直線の距離は変化する。
【００２５】  頂点４、端点６、排水溝側の基準点１０をそれぞれ結んだ直線により生じる角度は１５０度である。これは端点６、排水溝側の基準点１０、排水溝の内側の点９をそれぞれ結んだ直線により生じる角度と同一である。
【００２６】  排水溝の端には返し１２があり、この部分は内側に２０度程度曲がっている。
【符号の説明】
【００２７】１    ＤＯＳＳＵＮの屋根側の基準点
２    屋根の内側部分の端点
３    直角三角形５の直角の頂点
４    直角三角形５の７０度の角度の頂点
５    １、３、４を結んだ直線により構成された直角三角形
６    １と４を結んだ直線を、４を中心に時計回りに１１０度回転させた直線の端点
７    １、３、６を結んだ直線により構成された直角三角形
８    排水溝の外側の点
９    排水溝の内側の点
１０  ＤＯＳＳＵＮの排水溝側の基準点
１１  排水溝
１２  排水溝の端の返し
【図１】
2020172839.tif 000003
【図２】
2020172839.tif 000004
【図３】
2020172839.tif 000005
(57)【要約】      （修正有）【課題】空間等の温度調整等に係るエネルギー等のコスト等を改善すること。【解決手段】ペットボトル等の物質等を連結してその内部に地下５メートル程度等の年間を通じて温度変化が少ない液体等（水等）を用意してそれを内部に電動ポンプ等でくみ上げるなどして流して外気温が高いとき低いときの内部の空調等にいかす。【選択図】図１
2020153654.tif 000002
【特許請求の範囲】
【請求項１】
ペットボトル状の資材等を連結等して人間等が通れるスペースを設けてそこを通って移動するとき等に内部温度調整をできるようにする。ペットボトル等の物質等を連結してその内部に地下５メートル程度等（あくまで目安）の年間を通じて温度変化が少ない液体等（水等）を用意してそれを内部に電動ポンプ等でくみ上げるなどして流して外気温が高いとき低いときの内部の空調等にいかす。地下水温も深度等によって年間で変動する深度があるがそれも空調等に最大限利用する。自然の外気温が５度程度だとして十分にこのような構造体によってシールドされていれば内部の空気温は流す水等が１５℃であれば時間とともにそれに近似していくので約２２℃にしたいときはあと約７℃分のエネルギーで空気温を維持でき５℃から上げるより効率性がいい。下げるときも同様のことがいえる。温泉等の熱水があればより空調等の温度を上げる際等にさらに効率的になる。ペットボトル状の物体等は用途を満たせば専用の資材等を使用することもできる。設置場所は地上地下半地下等用途によって選択できる。地下タンク等は温度などにより複数設置することもできる。ペットボトル等は水を流すために連結されている。そのためにはセロテープ上のもの等で固定して中をくりぬいたりしてある。液体等で外気との間に温度保持等のためのバリアーを構築することが構造上の目的等になってくる。ペットボトル状のプラスティック状等の物体は透明にもできるので光を通して遮断はされているが開放的な空間を作ることができ内部に魚等を飼育等すればアートとしても使用できる。同様の構造等によってスペースの大きさを変えて大きくすれば内部にお湯等を入れたり他のレジャー施設等を作り自然と一体化したスペース等を構築できる。雨や風等を気にせずゆったりした温泉等を構築できる。スペースの内部の温度や流す水などの液体の温度はセンサー等で管理して自動的に電動ポンプ等の流量を変える等してエネルギーコストがちょうどいい状態にする。山間部に設置等した場合に近くにある木材等を利用すれば木材等の燃焼熱等を有効活用できる。地下タンク等にためてある水等をペットボトル等で構成等された構造物内に流して地下のタンクにまたもどす等する。電動ポンプ等を使用して水等の移動等を行う。水等は地下タンクとペットボトル等構造物内等を循環したりして再利用する。上記のレジャー施設等には魚を入れて観賞したり釣り等も可能。
【発明の詳細な説明】
【技術分野】
【０００１】地球環境
【背景技術】
【０００２】陸上養殖
【先行技術文献】
【特許文献】
【０００３】
【特許文献１】特許第６０９２４５４
【特許文献２】特開２０１６９−２１８７９
【非特許文献】
【０００４】
【非特許文献１】特開２０１８−９３８５２
【非特許文献２】特開６４４２４３９  東京大学  地温データ、公益社団法人日本地下水学会、京都大学  大阪ガス共同研究  熱エネルギーを太陽電池が効率よく発電できる波長の光に変換することに始めて成功。２０１６年１２月２４日ｓｃｉｅｎｃｅ  ａｄｖａｎｃｅｓ掲載  シリコンから作ったナノ共振器。ｗｗｗ．ｋｙｏｔｏ−ｕ．ａｃ．ｊｐ  野菜の生育条件  ｗｗｗ．ａｔａｒｉｙａ．ｎｅｔ  太陽の恵みを利用した採光システムひまわり  ｗｗｗ．ｈｉｍａｗａｒｉ−ｎｅｔ．ｃｏ．ｊｐ  燃料の発熱量  ｗｗｗ．ｈａｋｋｏ．ｃｏ．ｊｐ
【発明の概要】
空間等の温度調整等に係るエネルギー等のコスト等を改善すること等
【発明が解決しようとする課題】
空間等の温度調整等に係るエネルギー等のコスト等を改善すること等。
【課題を解決するための手段】
ペットボトル状の資材等を連結等して人間等が通れるスペース等を設けてそこを通って移動等するとき等に内部温度調整等をできるようにする。
【図面の簡単な説明】
【図１】ペットボトル等の物質等を使って作った構造物によりスペースを作り内部の空気温等を適切に管理等する
【発明を実施するための形態】
【・・・・】
【実施例】
【産業上の利用可能性】過疎地域でも自立した産業ができる。
【符号の説明】
【・・・・】
【受託番号】
【・・・・】
【配列表フリーテキスト】
【図１】
2020153654.tif 000003
(57)【要約】【課題】本発明は、多板式ディスクブレーキに関するものである。【解決手段】球を使うことを特徴とする多板式ディスクブレーキ。【選択図】図１
2020153511.tif 000002
【特許請求の範囲】
【請求項１】
球を使うことを特徴とする多板式ディスクブレーキ。
【発明の詳細な説明】
【技術分野】
【０００１】  本発明は、多板式ディスクブレーキに関するものである。
【背景技術】
【０００２】  従来、航空機用多板式ディスクブレーキがある。（海外にメーカーも存在する）。
また、多板式ディスクブレーキの特許があるが、自動車用としては実用化されていない。（特許文献１及び２参照）。
【先行技術文献】
【特許文献】
【０００３】
【特許文献１】特開２００９−１１５２５９号公報
【特許文献２】特開２００３−１３９１７５号公報
【発明の概要】
【発明が解決しようとする課題】
【０００４】  そのため、次のような問題点があった。
（イ）航空機と違い、頻繁にブレーキを使う自動車では冷却の問題がある。
（ロ）十分な強度が得られない。（強い制動力をホイールに伝えられない）。
（ハ）十分な精度が得られない。
（ニ）構造が複雑である。
本発明は、これらの問題点を解決するためになされたものである。
【課題を解決するための手段】
【０００５】  球を使うことを特徴とする多板式ディスクブレーキである。
【発明の効果】
【０００６】（イ）単板式ディスクブレーキと、同程度の冷却性能がある。
（ロ）十分な強度が得られる。
（ハ）十分な精度に加工できる。
（ニ）構造が簡単である。
【図面の簡単な説明】
【０００７】
【図１】  本発明の断面図である。
【図２】  本発明の溝部拡大図である。
【図３】  本発明の正面図である。
【発明を実施するための形態】
【０００８】  以下、本発明の実施をするための形態について説明する。
ベアリングケース（１）の外側に、半球形のくぼみを加工し、球（２）を付ける。
ブレーキディスク（３）の内面に、丸溝（外側止まり）を加工し、ベアリングケース（１）に差し込む。
その際、ブレーキディスク（３）の摺動部に、異物混入防止のためシールリング（４及び５）を取り付ける。
これにより、ブレーキディスク（３）は、ベアリングケース（１）の上をスラスト方向に摺動でき、トルクも球（２）により伝達できる。
また、ブレーキキャリパー（５）には、円弧状のＴ字溝（片端止まり他方ねじ止め）を加工し、固定ブレーキパット（６）を差し込み、ねじ止めする。
これにより、複数枚ある、ブレーキディスク（３）の両面に摩擦させることができる。
本発明は、以上のような構造である。
【符号の説明】
【０００９】１  ベアリングケース
２  球
３  ブレーキディスク
４  シールリング（円形）
５  シールリング（花形）
６  ブレーキキャリパー（円弧状のＴ字溝、片端止まり他方ねじ止め、を加工したもの）
７  固定ブレーキパット
【図１】
2020153511.tif 000003
【図２】
2020153511.tif 000004
【図３】
2020153511.tif 000005